(57)【要約】本発明は、索引システム及び索引システムを運用する方法に関し、当該方法は、少なくとも一意識別子を含むユーザからの要求を受信モジュールを経由して受信するステップと、物品又はサービスについての複数の一意識別子、及びそれらの物品、人又はサービスに関連付けされた複数のユニフォーム・リソース・ロケータ（ＵＲＬ）を記憶するデータベースに、データベース及び受信モジュールと通信結合された関連付けモジュールを経由してアクセスして、ユーザからの受信した一意識別子に関連付けされた少なくとも１つのＵＲＬを検索するステップと、少なくとも１つの検索したＵＲＬを、関連付けモジュールと通信結合された送信モジュールを経由してユーザへ送信するステップとを有する。
2012500433.tif 000002
【特許請求の範囲】
【請求項１】
索引システムを運用する方法であって、
少なくとも一意識別子を含むユーザからの要求を受信モジュールを経由して受信するステップと、
物品又はサービスについての複数の一意識別子、及び前記物品、人又はサービスに関連付けされた複数のユニフォーム・リソース・ロケータ（ＵＲＬ）を記憶するデータベースに、前記データベース及び前記受信モジュールと通信結合された関連付けモジュールを経由してアクセスして、前記ユーザからの受信した前記一意識別子に関連付けされた少なくとも１つのＵＲＬを検索するステップと、
前記少なくとも１つの検索したＵＲＬを、前記関連付けモジュールと通信結合された送信モジュールを経由して前記ユーザへ送信するステップと、
を有する索引システム運用方法。
【請求項２】
請求項１に記載の索引システム運用方法であって、
前記物品、人又はサービスのための一意識別子を生成又は受信するステップと、
前記データベースに前記一意識別子を記録するステップと、
を有する索引システム運用方法。
【請求項３】
請求項１又は２に記載の索引システム運用方法であって、
前記データベースに前記物品、人又はサービスに関連付けされたＵＲＬを記録するステップを有する索引システム運用方法。
【請求項４】
請求項１〜３のいずれか一項に記載の索引システム運用方法であって、
ＵＲＬをそれぞれの一意識別子に関連付けするステップを有する索引システム運用方法。
【請求項５】
請求項１〜４のいずれか一項に記載の索引システム運用方法であって、
前記一意識別子は、英数文字及び／又は文字列を有する索引システム運用方法。
【請求項６】
請求項５に記載の索引システム運用方法であって、
前記英数文字列は、それぞれのＵＲＬが関連付けされる物品、人又はサービスを示す情報を有する拡張可能な英数文字列である索引システム運用方法。
【請求項７】
請求項１〜６のいずれか一項に記載の索引システム運用方法であって、
ユーザによってアクセスされたサーチエンジンを介して前記ユーザからの要求を受信するステップを有する索引システム運用方法。
【請求項８】
請求項１〜７のいずれか一項に記載の索引システム運用方法であって、
特定のＵＲＬに関連付けされたユーザからの一意識別子を受信するステップと、
前記ユーザ又は前記ユーザに関連付けされたコンピューティングデバイスを前記特定のＵＲＬに接続するステップと、
を有する索引システム運用方法。
【請求項９】
物品又はサービスについての複数の一意識別子、及び前記物品又はサービスに関連付けされた複数のユニフォーム・リソース・ロケータ（ＵＲＬ）を記憶するデータベースと、
少なくとも一意識別子を含むユーザからの要求を受信するようアレンジされた受信モジュールと、
前記データベース及び前記受信モジュールと通信結合されており、前記データベースにアクセスして、前記ユーザからの受信した前記一意識別子に関連付けされた少なくとも１つのＵＲＬを検索するようアレンジされた関連付けモジュールと、
前記関連付けモジュールと通信結合されており、少なくとも１つの検索されたＵＲＬを前記ユーザへ送信するようアレンジされた送信モジュールと、
を備えた索引システム。
【請求項１０】
請求項９に記載の索引システムであって、
前記一意識別子は、それぞれの物品又はサービスに割り当てられた英数文字列である索引システム。
【請求項１１】
請求項９又は１０に記載の索引システムであって、
前記一意識別子は、それぞれの物品又はサービスを識別するための文字及び／又は文字列を有する索引システム。
【請求項１２】
請求項９〜１１のいずれか一項に記載の索引システムであって、
前記受信モジュールは、通信ネットワークを介して前記一意識別子を受信するようアレンジされた索引システム。
【請求項１３】
請求項９〜１２のいずれか一項に記載の索引システムであって、
前記受信モジュールは、ユーザによってアクセスされたサーチエンジンからの前記一意識別子を受信するようアレンジされた索引システム。
【請求項１４】
請求項９〜１３のいずれか一項に記載の索引システムであって、
前記データベースに格納された関連付けＵＲＬを有するそれぞれの物品又はサービスのための一意識別子を生成するようアレンジされた一意識別子生成モジュールを備えた索引システム。
【請求項１５】
請求項９〜１４のいずれか一項に記載の索引システムであって、
前記関連付けモジュールは、前記データベースにアクセスして、前記ユーザからの受信した前記一意識別子に関連付けされたＵＲＬのリストを検索するようアレンジされた索引システム。
【請求項１６】
実質的に、添付図面を参照してここに述べられているとおりの方法。
【請求項１７】
実質的に、添付図面を参照してここに述べられているとおりのシステム。
【発明の詳細な説明】
【技術分野】
【０００１】
本発明は、索引システムに関し、索引システムを運用する方法にも関する。
【０００２】
インターネット上の大量のデータに起因して、ユーザは、インターネット上での希望する物品及び／又はサービスの効果的なサーチにおいて、しえばしば困難を経験している。インターネット・サーチエンジンは、この問題をある程度まで軽減するが、ユーザが希望している的確な物品及び／又はサービスを突きとめることに関してはしばしば信頼できない。
【発明の概要】
【発明が解決しようとする課題】
【０００３】
本発明は、上記の問題に取組み、インターネット上の物品及び／又はサービスのサーチを容易にする、より効果的な手法を提供することを目的とする。
【課題を解決するための手段】
【０００４】
本発明の第１の態様によれば、索引システムを運用する方法が提供され、当該方法は、
少なくとも一意識別子を含むユーザからの要求を受信モジュールを経由して受信するステップと、
物品又はサービスについての複数の一意識別子、及び前記物品、人又はサービスに関連付けされた複数のユニフォーム・リソース・ロケータ（ＵＲＬ）を記憶するデータベースに、前記データベース及び前記受信モジュールと通信結合された関連付けモジュールを経由してアクセスして、前記ユーザからの受信した一意識別子に関連付けされた少なくとも１つのＵＲＬを検索するステップと、
前記少なくとも１つの検索したＵＲＬを、前記関連付けモジュールと通信結合された送信モジュールを経由して前記ユーザへ送信するステップと、を有する。
【０００５】
さらに、この方法は、
前記物品、人又はサービスのための一意識別子を生成又は受信するステップと、
前記データベースに前記一意識別子を記録するステップと、を有する。
【０００６】
認識されることになろうが、『人』は、自然人及び法人、例えば会社、協会、又はこれらの類を含むと理解することができる。
【０００７】
この方法は、前記データベースに前記物品、人又はサービスに関連付けされたＵＲＬを記録するステップを有しても良い。
【０００８】
また、この方法は、ＵＲＬをそれぞれの一意識別子に関連付けするステップを有しても良い。
【０００９】
前記一意識別子は、英数文字及び／又は文字列を有しても良い。
【００１０】
前記英数文字列は、それぞれのＵＲＬが関連付けされる物品、人又はサービスを示す情報を有する拡張可能な英数文字列としても良い。
【００１１】
この方法は、ユーザによってアクセスされたサーチエンジンを介して前記ユーザからの要求を受信するステップを有しても良い。
【００１２】
また、この方法は、
特定のＵＲＬに関連付けされたユーザからの一意識別子を受信するステップと、
前記ユーザ又は前記ユーザに関連付けされたコンピューティングデバイスを前記特定のＵＲＬに接続するステップと、を有しても良い。
【００１３】
本発明の第２の態様によれば、索引システムが提供され、当該システムは、
物品又はサービスについての複数の一意識別子、及び前記物品又はサービスに関連付けされた複数のユニフォーム・リソース・ロケータ（ＵＲＬ）を記憶するデータベースと、
少なくとも一意識別子を含むユーザからの要求を受信するようアレンジされた受信モジュールと、
前記データベース及び前記受信モジュールと通信結合されており、前記データベースにアクセスして、前記ユーザからの受信した前記一意識別子に関連付けされた少なくとも１つのＵＲＬを検索するようアレンジされた関連付けモジュールと、
前記関連付けモジュールと通信結合されており、少なくとも１つの検索されたＵＲＬを前記ユーザへ送信するようアレンジされた送信モジュールと、を備える。
【００１４】
前記一意識別子は、それぞれの物品又はサービスに割り当てられた英数文字列であっても良い。
【００１５】
前記一意識別子は、それぞれの物品又はサービスを識別するための文字及び／又は文字列を有しても良い。
【００１６】
前記受信モジュールは、通信ネットワークを介して前記一意識別子を受信するようアレンジされても良い。
【００１７】
前記受信モジュールは、ユーザによってアクセスされたサーチエンジンからの前記一意識別子を受信するようアレンジされても良い。
【００１８】
このシステムは、前記データベースに格納された関連付けＵＲＬを有するそれぞれの物品又はサービスのための一意識別子を生成するようアレンジされた一意識別子生成モジュールを備えても良い。
【００１９】
前記関連付けモジュールは、前記データベースにアクセスして、前記ユーザからの受信した前記一意識別子に関連付けされたＵＲＬのリストを検索するようアレンジされても良い。
【図面の簡単な説明】
【００２０】
【図１】例示的な実施形態に従った索引システムを含む略図的なネットワーク図
【図２】例示的な実施形態に従った図１の索引システムを運用する方法を示したフローチャート
【図３】例示的な実施形態に従った索引システムを含む略図的なネットワーク図
【発明を実施するための形態】
【００２１】
以下の記述においては、説明の目的から、本件開示の実施形態の完全な理解を提供するために多くの特定の詳細が示されている。しかしながら、当業者には明白となろうが、本件開示は、これらの特定の詳細を用いずに実施されることもある。
【００２２】
添付図面の図１を参照すると、例示的な実施形態に従ったネットワークが、包括的に参照番号１０によって示されている。ネットワーク１０は、例示的な実施形態に従って索引システム１２を含む。索引システム１２は、複数の構成要素又はモジュールを備え、それらは、索引システム１２によって実行されることになる機能上のタスクに対応する。これに関して言えば、この明細書の文脈における『モジュール』は、特定の機能、動作、処理、又は手順を達成するためのコード、演算又は実行可能インストラクション、データ、又は演算オブジェクトの識別可能部分を含むものと理解されるであろう。したがってモジュールがソフトウエアにおいて実装される必要はなく、モジュールは、ソフトウエア、ハードウエア、又はソフトウエア及びハードウエアの組合せにおいて実装され得る。さらに、必ずしもモジュールが１つのデバイス内に整理統合されている必要もなく、複数のデバイスに、例えばネットワーク１０内からモジュールによって提供される機能を索引システム１２が使用できるようにネットワーク１０にわたる複数のデバイスに分散されることがある。
【００２３】
より詳細に図１を観察すると、索引システム１２は、それの複数のユーザ１４と通信ネットワーク１６を介して通信する。通信ネットワーク１６は、パケット交換ネットワークとすることができ、インターネットの一部を形成することができる。それに代えて通信ネットワーク１６を、回線交換ネットワーク、公衆交換データネットワーク、又はこれらの類としてもよい。図解の容易性のためにユーザ１４が１つだけ示されているが、ネットワーク１０は、通常、複数のユーザを有する。認識されることになろうが、ユーザ１４は、通信ネットワーク１６にわたって通信するべく構成されたパーソナルコンピュータ、ラップトップ、モバイル通信デバイス、又はこれらの類といったコンピューティングデバイスにより、通信ネットワーク１６を介して索引システム１２へアクセスする。
【００２４】
図解されている実施形態においては、以下において論ずるとおり、ネットワークがインターネットであり、索引システム１２がユーザによるインターネットを介したアクセスが可能なウェブページを含む。それに代えて、又はそれに加えてユーザ１４は、以下において論ずるとおり、オプションとしてインターネットサーチエンジン１８を経由して索引システム１２へアクセスすることが可能である。注意する必要があるが、後者の例の実施形態においてはサーチエンジン１８が、通信ネットワーク１６を介して索引システム１２へアクセスするべく好都合にアレンジされる。
【００２５】
要約すると、索引システム１２へのアクセスは、以下の形で行うことができる。
１．システム１２に関連付けされたウェブサイト
２．任意のウェブブラウザに追加することが可能なツールバー
３．会社のウェブサイト上のシステムウィジェット
４．サーチエンジンには、作成された索引に対するアクセスが授与されることになる。システム１２は、サーチエンジンへのユーティリティとして働く目的を有する。
５．携帯電話用に適合されたサーチコード・ブラウザ。携帯電話においては、ブラウジングのためのスペースの欠乏から、回答及び大量でないリンクがより適する。携帯電話用のサーチ・ブラウザは、索引付きのリンクだけを伝える。
【００２６】
上で述べたとおり索引システム１２は、複数の構成要素又はモジュールを備え、特に索引システム１２は、物品又はサービスのための複数の一意識別子２２、及びそれらの物品又はサービスに関連付けされた複数のユニフォーム・リソース・ロケータ（ＵＲＬ）２４を記憶するデータベース２０を含む。これらの一意識別子は、都合よく、それぞれの物品又はサービスに割り当てられた英数文字列となる。またこれらの一意識別子は、好都合にもグローバル一意拡張インターネット情報検索文字列、又は別の言葉で言えば、サーチコード若しくは拡張リソースロケータ（ＥＲＬ）である。通常、一意識別子は、それぞれの物品又はサービスを少なくとも識別する英数文字列であり、例えば製造者Ｂからの製品Ａの場合には、一意識別子をmanufacturerB‐productA〈製造者Ｂ‐製品Ａ〉とすることができる。この方法においては、一意識別子が接尾辞又は接頭辞の形式で識別情報を含む。識別情報は、商標、例えば物品又はサービスを販売する会社に関連付けされた商標を含むこともできる。別の例示的な実施形態においては、一意識別子が、ユーザ１４が位置する国を示す情報を有する。したがって、物品又はサービスに関連付けされたＵＲＬは、ユーザ１４を、その物品又はサービスの製造者、販売者、又はプロバイダのウェブサイト（１つ又は複数）へ振向けるＵＲＬである。
【００２７】
１つの例示的な実施形態においては、特種文字が定義されて構造並びに拡張性を一意識別子に追加する。特種文字の例は、＃、＊、‐、又はこれらの類とすることができる。理解されるであろうが、より多くの特種文字を定義することは可能である。例示的な実施形態によれば、５つのタイプの一意識別子を提供することができる。
【００２８】
タイプ１：汎用
ランダムな英数文字列。慣用名も含められる。タイプ１の一意識別子の最大長は、１０文字である。タイプ１の一意識別子は、慣用名のための特別な文字列を含むことができる。
フォーマット：xxxxxxxxxx
例：a、ph、xy23、car25
慣用名の例：car〈自動車〉、orange〈オレンジ〉、Guatemala〈グアテマラ〉
【００２９】
タイプ２：接頭辞／拡張可能
区切り文字及び可変セグメントと組合わされる会社接頭辞
会社接頭辞のガイドライン
ａ．接頭辞としての完全な会社名
ｂ．接頭辞としての短縮した会社名
ｃ．会社接頭辞としてのキーワード
ｄ．ランダムなＡＳＣＩＩ文字列
可変セグメントはＡＳＣＩＩ文字列とする。
『‐』を区切り文字として定義する。
フォーマット：会社接頭辞‐xxxxx
例：sam‐12、CAR‐3、N‐E70
【００３０】
また、タイプ２は、拡張性も考慮している。SAM‐12MをSAM‐12のマニュアルに割付けることが可能である。SAM‐12MV又はSAM‐12‐MVをSAM‐12のビデオマニュアルとすることができる。
【００３１】
タイプ３：国固有
任意の一意識別子には、国固有の関連性のための．『国コード』を続けることができる。
フォーマット：GUISS．国コード
例：a.br、car3.br
【００３２】
タイプ４：アーカイブ
一意識別子の再使用を可能にするアーカイブ接尾辞を伴う一意識別子。つまり、アーカイブ接尾辞を伴うタイプ１又はタイプ２又はタイプ３。
フォーマット：一意識別子＃［数字］
例：ph#1、ph#2
【００３３】
タイプ５：人
定義済み区切り文字及び可変セグメントを伴う名前又は名前接頭辞。
フォーマット：［名前，名前接頭辞］*xxxx
例：John*20、Sam*t、kj*jk
【００３４】
注意する必要があるが、一意識別子は、消費者が容易に覚えられて、かつ連想を形成するいくつかの文字列を好適に備えている。前述したとおり、商標及び著作権識別子をサーチコードとして使用することができる。会社接頭辞＋ＡＳＣＩＩ文字列をサーチコードとして使用することができる。完全な会社名を接頭辞として使用することができる。短縮した会社名を接頭辞として使用することができる。キーワードを会社接頭辞として使用することができる。ランダムなＡＳＣＩＩ文字列を使用することができる。製品モデル名、Ｅ７０を携帯電話部類のモデルＥ７０のブランドのために使用することができる。容易に覚えられる文字列、SS5000を使用することができる。ランダムな文字列、SDFTXYを使用することができる。定義済みの区切り文字を伴う文字列、例えばab*dcを使用することができる。逐次増加整数を伴った可能化区切り文字、例えばph、ph#1、ph#2を再使用することができる。手前に述べたとおり、国の関連性のために国コードを一意識別子に付加することができる。
【００３５】
それに加えて、会社名及び製品名の組合せが大抵は一意的であることを考えると、会社名及び製品モデルを提出することによってＵＲＬリンクへのアクセスを獲得することができる。複数の会社が会社名及び製品名を共有する希なケースにおいては、リストが配信されることになる。
【００３６】
例えば、カメラ会社Ａ（CCA）及びカメラ会社Ａが製造するカメラ１のためのサーチコードがCCA‐C1であれば、CCA Camera 1の提出もまた、そのサーチコードのために索引設定された明確なＵＲＬリンクを導くことになる。
【００３７】
サーチコード仕様のタイプ２については、サーチコードが拡張可能である。『‐』は、サーチコードを拡張可能にすることを可能にするための予約文字である。
【００３８】
例１‐製品
サーチコードCCA‐C1を伴うカメラ会社Ａ（CCA）によって製造されるカメラ１の場合、CCA‐C1M又はCCA‐C1‐Mをそのカメラのマニュアルのために割付けることが可能である。CCA‐C1 FAQ又はCCA‐C1‐FAQを、そのカメラについてのよくある質問に割付けることができる。
【００３９】
例２‐サービス
法律業務、法律事務所１‐‐サーチコードLF‐
LF‐Pが、法律事務所１によって提供される特許サービスのためのサーチコードとなるであろう。これに加えて、LP‐PCが、法律事務所１によって提供される化学及び化学技術の特許サービスのためのサーチコードとなるであろう。
【００４０】
このようにして、例示的な実施形態に従って所望のサイトの特定のウェブページの索引付けを行うことができる。言換えると、これは、ウェブサイト内の特定のページへユーザが振向けられることを可能にする。
【００４１】
索引システム１２は、また、ユーザ１４から要求を受信するべくアレンジされた受信モジュール２６も含み、この要求は、少なくとも一意識別子を含む。
【００４２】
関連付けモジュール２８は、データベース２０及び受信モジュール２６と通信結合されている。関連付けモジュール２８は、ユーザ１４から受信した一意識別子に関連付けされた少なくとも１つのＵＲＬを検索するためにデータベース２０へアクセスするべくアレンジされる。
【００４３】
索引システム１２は、さらに、関連付けモジュール２８と通信結合される送信モジュール３０を含む。送信モジュール３０は、少なくとも１つの検索されたＵＲＬをユーザ１４へ送信するべくアレンジされている。送信モジュール３０は、検索されたＵＲＬに関連付けされたウェブページがユーザ１４のコンピューティングデバイスへ自動的にロードされるように、検索されたＵＲＬをユーザ１４のウェブブラウザへ送信するか、又は転送するべくアレンジされる。ユーザ１４がサーチエンジン１８を使用する場合には、ユーザ１４に提示するために送信モジュール３０がサーチエンジン１８へ検索されたＵＲＬを送信する。この形態でＵＲＬがユーザ１４に提示される場合には、ＵＲＬが、通常、関連付けされたウェブページへのリンクの形式となる。注意する必要があるが、複数のＵＲＬが関連付けモジュール２８によって検索された場合には、送信モジュール３０が、検索されたＵＲＬのリストをユーザ１４へ送信する。
【００４４】
例示的な実施形態においては、索引システム１２がさらに、データベース２０に格納された関連付けされたＵＲＬを有するそれぞれの物品又はサービスのための一意識別子を生成するべくアレンジされた一意識別子生成モジュール３２を含む。したがって、物品又はサービスの製造者、プロバイダ、又は販売者が、物品及びサービスのカタログ及び関連付けされたＵＲＬをシステム１２へ提供することになる。例示の実施形態においては、システム１２が、生成される一意識別子のスケジュールを公共への配信のために製造者へ送信する。
【００４５】
認識することになろうが、これに代えて、又はこれに加えて、物品又はサービスの製造者、プロバイダ、又は販売者が自身のそれぞれの物品又はサービスに関連付けされた一意識別子をオプションとして生成することができる。この特定の例の実施形態においては、生成される一意識別子を関連付けされたＵＲＬとともに、データベース２０への格納のために索引システム１２へ送信することができる。
【００４６】
次に、図２及び３を参照して例示的な実施形態をさらに説明する。図２及び３に示されている例の方法は、図１で説明されているシステムを参照して説明されるが、例示の方法がほかのシステム（図示せず）に対しても同様に適用可能であることは認識されるものとする。
【００４７】
図２を参照すると、例示の実施形態に従った方法のフローチャートが、包括的に参照番号４０によって示されている。ここでは、ユーザ１４が、物品及びサービスのリスト又はカタログ、及びそれらそれぞれの一意識別子を好都合に有し得ることを念頭に置く。このリストは、例えば、物品又はサービスの製造者、販売者、又はプロバイダから、若しくは物品又はサービスのための宣伝から獲得することができる。
【００４８】
ユーザ１４は、通常、物品又はサービスの情報を突きとめること又は見つけ出すことを希望しているとき、システム１２のウェブページへアクセスし、それのために提供されているフィールド内に一意識別子を入力する。それに代えて又はそれに加えて、ユーザ１４は、関心のある物品又はサービスのための一意識別子をサーチエンジン１８へ提出する。続いて、サーチエンジン１８が、一意識別子を受信モジュール２６へ提出する。
【００４９】
いずれの場合においても、方法４０は、ユーザ１４から要求を受信すること（ブロック４２）を含み、例えば受信モジュール２６を経由してそれを受信する。その要求は、少なくとも、ユーザ１４が欲している物品又はサービスに対応する一意識別子を含む。
【００５０】
さらに、方法４０は、ブロック４４における、例えば関連付けモジュール２８を経由してデータベース２０にアクセスし、ユーザ１４から受信した一意識別子に関連付けされた少なくとも１つのＵＲＬを検索することを含む。
【００５１】
少なくとも１つのＵＲＬが検索された後、方法４０は、ブロック４６における、その少なくとも１つの検索されたＵＲＬを、送信モジュール３０を経由してユーザ１４へ送信することを含む。前述したとおり、検索されたＵＲＬに関連付けされたウェブページは、ユーザ１４のコンピューティングデバイスへ自動的にロードすることが可能である。
【００５２】
次に、図面の図３を参照するが、そこには、例示の実施形態に従った方法の別のフローチャートが、包括的に参照番号５０によって示されている。
【００５３】
方法５０は、ブロック５２における、関連付けされたＵＲＬがデータベース２０に記録されることになる物品又はサービスのための一意識別子を生成することを含む。したがって、一意識別子が、通常、一意識別子生成モジュール３２によって生成される。前述したとおり、物品又はサービスの製造者、販売者、又はプロバイダが、オプションとして一意識別子を生成することができる。
【００５４】
したがって、方法５０は、ブロック５４における、データベース２０に一意識別子を記録することを含む。一意識別子に加えて、それらの識別子に関連付けされたＵＲＬもまたデータベース２０に記録される。これらのＵＲＬは、物品又はサービスの製造者、販売者、又はプロバイダから好都合に獲得される。
【００５５】
別の例示的な実施形態においては、前述したとおり、本発明が好都合に使用されて、人、会社等々に関連付けされたＵＲＬが見つけ出される。これらの特定の例の実施形態においては、人又は会社が、自身に関連付けされた一意識別子及び自身に関連付けされたウェブページへのＵＲＬを有している。したがって、これらのＵＲＬを、上記の物品又はサービスのためのＵＲＬの検索と類似の形態で検索することが可能である。
【００５６】
これまで述べたサーチコードシステム及び方法は、主として購入前及び購入後の状況の中に適用性がある。
【００５７】
購入前の状況においては、ラジオ、テレビジョン、及び印刷物等の伝統的媒体プラットフォーム上の宣伝が、製品のためのサーチコードを大衆に向けて通知する。さらに、購入に先行する情報は、前述したアクセス方法のうちの１つを介してサーチコードとともに獲得される。システム１２は、明確な製品情報への直接アクセスを容易にする。古い媒体サービスと新しい媒体サービスの間にはリンクが提供される。
【００５８】
購入後の状況においては、製品上でサーチコードが見つかることになろう。購入物品、アイテム、又はサービスのためのマニュアル又はそのほかの関連する情報が求められている場合には、サーチコードを用いてそれが容易に回収される。
【００５９】
サーチコードとともに手前で述べたところのシステムは、より多くの内容及び説明の情報へのリンクを提供することによって効率を生み出す。サーチコードの拡張性は、サーチしている消費者へ、より多くのサーチのコントロールを与える。会社は、サーチコードを用いて情報へのアクセス可能性を向上させることができる。言い方を変えると、製品のオンライン情報の調和がサーチコードを用いて増進され、実世界からオンライン世界への直接リンクが提供される。
【００６０】
サーチエンジンについては、システム１２がユーティリティとして働く目的を持つ。システム１２は、すべてのサーチエンジンに利用可能とされることになる。サーチエンジンの一次収益源は、キーワードと結びつけられた宣伝から導かれる。キーワードのインベントリは、サーチエンジンの重要な要素である。サーチコードを伴うシステム１２は、宣伝がサーチコードと結びつけられることが可能であるため、サーチエンジンのキーワードインベントリを増加させることができる。したがって、システムは、サーチエンジンの収益を増加させ、サーチコードのための年次購読契約料を課することによって収益を上げることをねらいとする。
【００６１】
認識されることになろうが、従来的なシステムの場合に、『black pen』〈黒ペン〉とクローラ・ページ・ランク、又は人気度スコアベースのサーチエンジンに書き込むと、そのサーチエンジンによって索引が付けられたインターネット上のページにそれらの用語のすべての出現が表示される。人気度ベースのフィルタが、一般に結果のランク付けに使用される。したがって、『black pen』〈黒ペン〉、並びに、『black』〈黒〉へのアンカー（anchor）の全て及び『pen』〈ペン〉が処理されてユーザに引渡される。
【００６２】
それとは対照的に、会社Ａによって製造されている『black pen』〈黒ペン〉が例示の実施形態に従ってサーチコード化された場合に（例えば、bp、又はCompanyA‐pb〈会社Ａ‐ｂｐ〉）１セットのリンクだけが表示されることになり、サーチコードが存在すれば、サーチコード付きのリンクが優先して表示されることになる。しかしながら、サーチコードが存在しない場合には、その代替が、会社名フィールド及びモデル名といったサーチコード周辺の詳細のサーチになる。同一の名前及び製品名を伴う会社が２つ又はそれより多く存在している場合には、リンクのリストが引渡される。サーチコードでない単一の用語だけが書き込まれた場合には、従来的なサーチエンジンからの結果が引渡されることになる。したがって、いくつかのサーチエンジンの集合から引出された結果を、例示の実施形態に従ってユーザへ引渡すことができる。
【００６３】
これまで述べてきたとおり、本発明は、情報を見つけ出すための、特に物品又はサービスに関係する情報を見つけ出すための、より便利であり、かつより正確な方法を提供する。物品の製造者、販売者、又はプロバイダによる、それぞれの物品又はサービスへのＵＲＬの提示を可能にすることによって、索引システムのユーザは、そのユーザが関心を有する物品又はサービスに関するより正確な情報を見つけることができる。一意識別子が一意的に生成されることから、ユーザがインターネット・サーチエンジンを使用して物品又はサービスについてのサーチを行ったとしても、ユーザには、しばしば大量の無関係な情報を含んでいるサーチ結果がそれほど提供されない。
【図１】
2012500433.tif 000003
【図２】
2012500433.tif 000004
【図３】
2012500433.tif 000005
【国際調査報告】
2012500433.tif 000006
2012500433.tif 000007